(57)【要約】      （修正有）【課題】放射性物質に汚染された土壌等の汚染廃棄物から放出される放射線を遮蔽する放射線遮蔽組成物でコーティングされた容器を用い、汚染廃棄物を収納し、貯蔵、比較的簡単に移動することの出来る容器を提供する。【解決手段】硫酸バリウム等の無機物質を主成分とする放射線遮蔽物質と不飽和ポリエステル、エポキシ樹脂、ウレタン樹脂等の高分子樹脂で構成された放射線遮蔽組成物を鉄製及びステンレス製ドラムに内面コーティングを行い容器を作成し、それを用いて放射性汚染廃棄物を収納し、放射性汚染廃棄物から放出される放射線を遮蔽するシステムである。【選択図】なし【特許請求の範囲】
【請求項１】
鉄製及びステンレス製容器に放射線遮蔽組成物をコーティングした放射性物質汚染廃棄物収納容器。
【請求項２】
前記放射線遮蔽組成物が硫酸バリウム、酸化タングステン、酸化ホウ素、炭化ホウ素、酸化ビスマス、酸化セリウムの少なくとも１種類或いは複数の物質を２０〜７０部含む放射線遮蔽組成物をコーティングした放射性物質汚染廃棄物収納容器。
【請求項３】
前記放射線遮蔽組成物が請求項２の放射線遮蔽材料と不飽和ポリエステル樹脂、エポキシ樹脂、ウレタン樹脂の何れかの樹脂で構成された放射線遮蔽組成物をコーティングした放射性物質汚染廃棄物収納容器。
【発明の詳細な説明】
【技術分野】  本発明は、放射性物質による汚染廃棄物収納容器に関する。
【背景技術】  ２０１１年３月１１日、１４：４６に東北地方太平洋沖地震が発生し、その地震により福島第一原子力発電所の事故を誘発し、この事故に伴って福島県を中心に放射性物質が飛散する事態に発展し、その降下物の付着による放射能汚染が深刻な状況であり、２年以上経過した現在、各地の放射線量は徐々に減少を続けていますが、半減期の長いセシウム（セシウム１３７：半減期約３０年）を主として、現在も土壌やコンクリート、住宅等で平常時では観測できない放射線量が確認され続けており、このような半減期の長い核種の汚染物の除染が緊急の課題となっている。
現在の除染方法として、放射性物質に汚染された土壌等を取り除きフレキシブルコンテナ等に収納して現場保管および仮置き場で保管する方法が採られているが、耐久性、その場所の放射線量を減らす遮蔽効果は不十分である。
一方、放射線遮蔽材として、ポリマー粘結剤と放射線遮蔽化学物質粉末と流動パラフィンよりなる粘土状のもの（特許文献１）、硫酸バリウムとシリコンゴムとの混練物を成形して加硫したゴム状のもの（特許文献２）、硫酸バリウムを熱可塑性樹脂や熱可塑性エラストマーの基材中に含有させたシート状のもの（特許文献３，４）等が知られている。しかし、このような放射線遮蔽材は、放射性物質を取り扱う各種施設において所要部位からの放射線の漏洩を防止する目的では有用であるが、上記放射能汚染のように放射性物質が付着した土壌等の汚染物に適用するのは困難であり、汚染物の状態や形状によってはシートを適用できないことが多々ある。
また、プラスチック製ドラムに汚染廃棄物を収納し、外部をコンクリートリングで覆い放射線を遮蔽する方法（文献１）が紹介されているが構造が複雑であり、汚染廃棄物の移動面等の問題も多々ある。
【先行技術文献】
【特許文献】
【特許文献１】特開昭５３−１−５７００号公報
【特許文献２】特開平５−２６４７８８号公報
【特許文献３】特開平１１−１３３１８４号公報
【特許文献４】特開２００７−２１２３０４号公報
【文献１】
ｈｔｔｐ：／／ｗｗｗ．ｆｕｋｕｓｈｉｍａ−ｄｅｃｏｎｔａｍｉｎａｔｉｏｎ−ａｓｓｏｃｉａｔｉｏｎ．ｃｏｍ／ｉｎｄｅｘ．ｐｈｐ／
【発明の概要】
【発明が解決しようとする課題】  放射性物質に汚染された土壌等の汚染廃棄物から放出される放射線を遮蔽する放射線遮蔽組成物でコーティングされた容器を用い、汚染廃棄物を収納し、貯蔵、比較的簡単に移動することの出来る容器を提供すること。
【課題を解決するための手段】  本発明者は、従来技術の問題点に鑑みて鋭意研究を重ねた結果、特定の組成を採用することにより上記目的を達成できることを見出し、本発明を完成するに至った。
すなわち、本発明は、硫酸バリウム等の無機物質を主成分とする放射線遮蔽物質と不飽和ポリエステル、エポキシ樹脂、ウレタン樹脂等の高分子樹脂で構成された放射線遮蔽組成物を鉄製及びステンレス製ドラムに内面コーティングを行い容器を作成し、それを用いて放射性汚染廃棄物を収納し、放射性汚染廃棄物から放出される放射線を遮蔽するシステムである。
【発明の効果】  本発明の放射性汚染廃棄物収納容器によれば、放射性物質で汚染された汚染廃棄物から放出される放射線を遮蔽する為に、放射線遮蔽組成物をコーティングされた鉄製及びステンレス製ドラムに収納することにより放射線量を低減させることで人体への影響を低減することが出来る。
本発明で用いる放射性汚染廃棄物収納容器は従来の外部をコンクリートリングで覆い放射線を遮蔽する方法と比較し、軽量で簡便かつ安全に収納、移動を行う事ができる。
【発明を実施するための形態】
１．放射線遮蔽材料
放射線遮蔽組成物成分の放射線遮蔽材料としては硫酸バリウム、酸化タングステン、酸化ホウ素、炭化ホウ素、酸化ビスマス、酸化セリウム、金属タングテンなどが挙げられ、少なくとも１種類或いは２種類以上の複数材料を配合して使用することが出来る。
経済性の観点から硫酸バリウムを主体とした複合配合材料が好ましい。
２．高分子樹脂
放射線遮蔽組成物成分の高分子樹脂としてはＦＲＰ成形材料である不飽和ポリエステル樹脂、エポキシ樹脂、ウレタン樹脂が挙げられる。
ＦＲＰ成形材料である不飽和ポリエステル樹脂とスチレンモノマー混合物、２液型エポキシ樹脂、２液型ウレタン樹脂は市販されており容易に入手することが出来る。
ある程度の厚みのコーティング膜を形成することが好ましく、強度及び加工性、作業性の観点からＦＲＰ成形方法が好ましく、利用樹脂としては不飽和ポリエステル樹脂が好ましい。
３．ベース容器
ベース容器としては市販の金属製ドラム及びステンレス製ドラムを使用する事が出来る。
放射線遮蔽組成物の構成としては、高分子樹脂成分に対して、放射線遮蔽材料成分が２０〜７０重量％で構成されるのが好ましい。より好ましくは放射線遮蔽性能、被膜強度、耐久性の観点から５０〜７０重量％での構成が好ましい。
加工方法としては、耐久性の観点からベース容器の内部にコーティングすることが好ましく、コーティング被膜の厚みは１０〜５０ｍｍが好ましい。
放射線遮蔽組成物はコンテナボックス等の構造物に内面及び外面塗工することも可能で、外部塗工の場合、美観の観点から一般顔料で着色して使用することも可能である。
【実施例】以下に実施例及び比較例を示し、本発明の特徴をより具体的に説明する。ただし、本発明の範囲は、実施例に限定されない。なお、以下の配合量における「部」は重量部を示す。
製造例１
＜Ａ放射線遮蔽材料と不飽和ポリエステル樹脂コンパウンドの調整＞
イソフタル酸系不飽和ポリエステル樹脂（竹林化学工業株式会社製：タケシールＦＲＰ２００Ｂ）４５部、三酸化タングステン配合硫酸バリウム（大阪油脂工業株式会社製：ＢＸ−１００）５０部、１インチ長ガラス繊維５部をミキサーで混合し、均一に分散させて放射線遮蔽材料と不飽和ポリエステル樹脂コンパウンド（Ａ）の放射線遮蔽組成物を得た。
製造例２
＜Ｂ放射線遮蔽材料と不飽和ポリエステル樹脂コンパウンドの調整＞
製造例１のイソフタル酸系不飽和ポリエステル樹脂５５部、硫酸バリウム（堺化学工業（株）製）４０部を用いた以外は、製造例１と同様にミキサーで混合を行い、標記コンパウンド（Ｂ）を得た。
実施例１〜１２及び比較例１、２
各製造例で得られた各コンパウンドを用い、表１に示す割合で均一に混合し、表２に示す厚みにベース容器内面にコーティングを行った。
【表１】
2016014645.tif 000002
【表２】
2016014645.tif 000003
試験例３
実施例及び比較例で得られた放射性物質汚染廃棄物収納容器について、
（１）ＪＩＳ  Ｚ  ４５０１「Ｘ線防護用品の鉛当量試験方法」に準じて透過Ｘ線量を測定した。各試料及び各測定位置につき５回測定を行い、平均値及び標準偏差を求めた。
測定条件
Ｘ線装置：  エクスロン・インターナショナル社  ＭＧ−４５２型
Ｘ線管電圧及び管電流：ＭＧ−４５２型  １００ｋＶ、１２．５ｍＡ
ＭＧ−４５２型  ４００ｋＶ、１０．０ｍＡ
Ｘ線管焦点−試料間距離：１５００ｍｍ
試料−測定器間距離：５０ｍｍ
測定器：電離箱照射線量率計  東洋メディック社  ＲＡＭＴＥＣ−１０００Ｄ型  Ａ−４プローブ使用
Ｘ線量測定単位：空気衝突カーマ
Ｘ線ビーム：狭いビーム
（２）ガンマ線遮蔽率の測定
測定方法：床から１ｍの高さで、線源と検知器測定中心までの距離を２５ｃｍとし、その間に試料がない場合とある場合の線量率について、それぞれ１０回測定した平均値からバックグランドの線量を引いた値より、遮蔽率を求めた。
遮藪率は（１−試料有／試料無）×１００により求めた。
線    源：セシウム１３７  線源  １０ＭＢｑ
測定器  ：ＮａＩシンチレーションサーベイメータ  アロカ  ＴＣＳ−１７２Ｂ
【表３】
2016014645.tif 000004
以上の結果からも明らかなように、ステンレス製及び鉄製ドラムではＸ線及びガンマ線の遮蔽効果は低いのに対し、本発明の放射性汚染廃棄物収納容器の場合Ｘ線及びガンマ線の遮蔽効果が優れていることがわかる。
又、放射線遮蔽材料の含有量が多い場合の方がＸ線及びガンマ線の遮蔽効果が優れていることがわかる。